(57)【要約】【課題】掃除作業の状況に応じて掃除機本体を提げ易くして、電気掃除機の作業性を向上させる。【解決手段】吸込口体から接続ホースを介して塵埃を吸引し内蔵する集塵部に塵埃を収集する掃除機本体を備え、掃除機本体は、掃除機本体を一定の走行方向に走行可能に支持する走行車輪と、掃除機本体を提げるための手提げハンドルとを有し、手提げハンドルは、掃除機本体の上方前部に前記走行方向に直交するように設けられた細長い横ハンドルと、一端が前記横ハンドルに結合され他端が掃除機本体の後部に結合された細長い縦ハンドルとからなる電気掃除機。【選択図】図４
2017213315.tif 000002
【特許請求の範囲】
【請求項１】
吸込口体から接続ホースを介して塵埃を吸引し内蔵する集塵部に塵埃を収集する掃除機本体を備え、掃除機本体は、掃除機本体を一定の走行方向に走行可能に支持する走行車輪と、掃除機本体を提げるための手提げハンドルとを有し、手提げハンドルは、掃除機本体の上方前部に前記走行方向に直交するように設けられた細長い横ハンドルと、一端が前記横ハンドルに結合され他端が掃除機本体の後部に結合された細長い縦ハンドルとからなる電気掃除機。
【請求項２】
前記縦ハンドルは、一端が横ハンドルの軸方向に摺動可能に設けられた摺動部材を介して横ハンドルに結合され、他端が前記後部に前記走行方向に平行に設けられた支軸を中心に回動可能に結合され、縦ハンドルは前記走行方向に対して左右方向に移動操作可能である請求項１記載の電気掃除機。
【請求項３】
前記縦ハンドルは走行方向に平行に分離された一対の第１および第２縦ハンドルからなり、前記摺動部材は横ハンドルの軸方向に分離された一対の第１および第２摺動部材からなり、前記支軸は走行方向に平行に分離された一対の第１および第２支軸からなり、第１および第２縦ハンドルは、一端がそれぞれ第１および第２摺動部材を介して横ハンドルに結合され、他端がそれぞれ第１および第２支軸に結合された請求項２記載の電気掃除機。
【請求項４】
前記縦ハンドルは、前記走行方向に伸縮可能である請求項１又は２記載の電気掃除機。
【請求項５】
前記集塵部は前記掃除機本体に外部へ取り出し可能に係止されると共に、前記掃除機本体は前記縦ハンドルの移動操作に連動して前記集塵部を係止する動作および係止を解除する動作を行う操作部材を備える請求項２記載の電気掃除機。
【発明の詳細な説明】
【技術分野】
【０００１】
この発明は電気掃除機に関する。
【背景技術】
【０００２】
この発明の関連技術としては、電動送風機と集塵装置を内蔵し一対の走行車輪を有する掃除機本体と、塵埃を吸引する吸込口体と、掃除機本体と吸込口体とを接続するホースとを備えた電気掃除機において、掃除機本体に手提げハンドルを、走行車輪の走行方向に平行に備えたものや、走行車輪の走行方向に直交する方向に備えたものが知られている(例えば、特許文献１、２参照)。
【先行技術文献】
【特許文献】
【０００３】
【特許文献１】特許第５０２２４６７号
【特許文献２】特許第５６５９６４１号
【発明の概要】
【発明が解決しようとする課題】
【０００４】
しかしながら、従来のこのような電気掃除機においては、使用者が掃除機本体を一方の手で提げながら、他方の手で吸込口体を壁や天井のような高い所や階段のような低い所に向けると、掃除機本体の姿勢が変化するため、使用者が掃除機本体を持ち続けることが難しく作業性に欠けるという問題があった。
【０００５】
この発明はこのような事情を考慮してなされたもので、掃除機本体の姿勢が変化してもそれに対応して手提げハンドルを握る方向や位置を選択することにより、掃除機本体を容易に持ち続けることが可能な作業性に優れた電気掃除機を提供するものである。
【課題を解決するための手段】
【０００６】
この発明は、吸込口体から接続ホースを介して塵埃を吸引し内蔵する集塵部に塵埃を収集する掃除機本体を備え、掃除機本体は、掃除機本体を一定の走行方向に走行可能に支持する走行車輪と、掃除機本体を提げるための手提げハンドルとを有し、手提げハンドルは、掃除機本体の上方前部に前記走行方向に直交するように設けられた細長い横ハンドルと、一端が前記横ハンドルに結合され他端が掃除機本体の後部に結合された細長い縦ハンドルとからなる電気掃除機を提供するものである。
【発明の効果】
【０００７】
この発明によれば、手提げハンドルが縦横両ハンドルからなるので、掃除対象によって変化する掃除機本体の姿勢に対応して、手提げハンドルを握る位置や方向を任意に選択でき、掃除の作業性が向上する。
【図面の簡単な説明】
【０００８】
【図１】この発明の第１実施形態の電気掃除機を示す斜視図である。
【図２】図１に示す電気掃除機の本体部の内部構成を示す断面図である。
【図３】図２に示す本体部から集塵部を取り出した状態を示す断面図である。
【図４】図１に示す本体部の側面図である。
【図５】図４に示す本体部の上面図である。
【図６】図４に示す本体部の要部正面図である。
【図７】図５に示す本体部の手提げハンドルの動作説明図である。
【図８】この発明の第２実施形態の本体部をしめす図５対応図である。
【図９】図８に示す本体部の手提げハンドルの動作を示す図７対応図である。
【図１０】この発明の第３実施形態の図４対応図である。
【図１１】この発明の第４実施形態の図２対応図である。
【図１２】この発明の第４実施形態のラッチ装置の内部構造説明図である。
【図１３】図１２に示すラッチ装置の側面図である。
【図１４】図１２に示すラッチ装置の要部分解斜視図である。
【発明を実施するための形態】
【０００９】
この発明の電気掃除機は、吸込口体から接続ホースを介して塵埃を吸引し内蔵する集塵部に塵埃を収集する掃除機本体を備え、掃除機本体は、掃除機本体を一定の走行方向に走行可能に支持する走行車輪と、掃除機本体を提げるための手提げハンドルとを有し、手提げハンドルは、掃除機本体の上方前部に前記走行方向に直交するように設けられた細長い横ハンドルと、一端が前記横ハンドルに結合され他端が掃除機本体の後部に結合された細長い縦ハンドルとからなることを特徴とする。
【００１０】
前記縦ハンドルは、一端が横ハンドルの軸方向に摺動可能に設けられた摺動部材を介して横ハンドルに結合され、他端が前記後部に前記走行方向に平行に設けられた支軸を中心に回動可能に結合され、前記走行方向に対して左右方向に移動操作可能であることが好ましい。
【００１１】
前記縦ハンドルは走行方向に平行に分離された一対の第１および第２縦ハンドルからなり、前記摺動部材は横ハンドルの軸方向に分離された一対の第１および第２摺動部材からなり、前記支軸は走行方向に平行に分離された一対の第１および第２支軸からなり、第１および第２縦ハンドルは、一端がそれぞれ第１および第２摺動部材を介して横ハンドルに結合され、他端がそれぞれ第１および第２支軸に結合されてもよい。
【００１２】
前記縦ハンドルは、前記走行方向に伸縮可能であってもよい。
前記集塵部は前記掃除機本体の外部へ取り出し可能に内蔵されると共に、前記掃除機本体は前記縦ハンドルの移動操作によって前記集塵部を内部に係止する動作および係止を解除する動作を行う操作部材を備えることが好ましい。この操作部材には、ラッチ装置を好適に用いることができる。
【００１３】
以下、図面に示す実施形態に基づいてこの発明を詳述する。この実施形態によって、この発明が限定されるものではない。
＜第１実施形態＞
（１）  電気掃除機の全体構成
図１は第１実施形態の電気掃除機を示す斜面図である。同図に示すように、電気掃除機１は電動送風機６(図２参照)を内蔵する掃除機本体２（以下、本体部２という）を備えている。
【００１４】
本体部２の背面には引き出し及び収納が可能な電源コード８が設けられている。電源コード８は電源プラグ９を先端に有し、商用電源のコンセントに差し込まれて本体部２に電力を供給する。
【００１５】
本体部２の前面には可撓性の接続ホース３が接続され、接続ホース３の先端には延長パイプ４が接続される。延長パイプ４の先端には床面に対峙する吸込口を有した吸込口体５が設けられている。
【００１６】
また、延長パイプ４にはパイプ把持部１３及び操作部１４が設けられている。使用者は操作部１４を操作して掃除運転を実行し、パイプ把持部１３を把持して吸込口体５を移動させる。
【００１７】
それに伴って、本体部２も両側に設けた一対の車輪７によって移動する。また、本体部２は、使用者が必要に応じて本体部２を持ち運ぶための手提げハンドル１２を上部に備える。
【００１８】
（２）  本体部の内部構造と動作
図２は本体部２の内部構造を示す断面図である。本体部２は本体カバー１０により      覆われ、後部に電動送風機６が配置されている。
【００１９】
本体カバー１０の前面には接続ホース３(図１)を接続する接続口１０ａが開口し、背面には排気口１０ｂが開口する。電動送風機６の前方には集塵室１９(図３)が設けられ、集塵室１９内にはサイクロン式の集塵部２０が配置される。集塵部２０の集塵容器２２は透明樹脂からなり、集塵容器２２内を可視化する窓部１０Ｃが本体カバー１０に設けられている。
【００２０】
集塵部２０には、接続口１０ａに連通する流入口２２ａ、及び塵埃を除去した気流が流出する連通路４２と集塵部排気口４２ａが設けられている。集塵部排気口４２ａと電動送風機６との間はダクト１５により連結されている。
【００２１】
集塵部２０の上部には本体カバー１０に連続して集塵部２０の外装を形成するカバー部４０が配置される。カバー部４０の上面には後部で枢支される回転自在の把持部４１が設けられ、カバー部４０の上部後方には本体カバー１０に係合する係合部４３が設けられている。係合部４３は把持部４１の回動によって前後に進退するようになっている。
【００２２】
本体カバー１０にカバー部４０の前部を掛けて後方の係合部４３を係合させることによって集塵部２０が本体部２に装着される。把持部４１の先端を引き上げると係合部４３が後退して本体カバー１０との係合が解除され、図３に示すように集塵部２０を本体部２から上方に取り出すことができる。これにより、集塵部２０で収集した塵埃を廃棄することができる。
【００２３】
このような構成の電気掃除機１において、電動送風機６の駆動によって吸込口体５から床面の塵埃が吸い込まれ、延長パイプ４及び接続ホース３を通過する。塵埃を含む気流は接続口１０ａ及び流入口２２ａを介して集塵部２０の集塵容器２２に流入し、集塵容器２２内に旋回気流を形成する。旋回気流の遠心力によって気流に含まれる比較的大きな塵埃が除去され、集塵容器２２内に堆積する。
【００２４】
大きな塵埃が除去された気流は、流出口５１ａから内筒５１内に流出して上昇し、フィルタ３７により細かい塵埃が捕集される。フィルタ３７を通過した気流は、集塵部排気口４２ａを介して集塵部２０から流出する。集塵部２０から流出した気流は、ダクト１５を通り電動送風機６を介して排気口１０ｂから排気される。
【００２５】
把持部４１を引き上げると、前述のように係合部４３と本体カバー１０との係合が解除され、集塵部２０が図３のように集塵室１９から取り出される。取り出された集塵部２０は、クリップ２３の回動によってフィルタ保持部５０がカバー部４０と一体に集塵容器２２から離脱されると、集塵容器２２内の塵埃が廃棄される。また、カバー部４０を開くと、フィルタ３７の除塵や水洗い等を行うことができる。
【００２６】
（３）  手提げハンドルの構造と機能
次に、手提げハンドルの構造と機能について以下に詳述する。
図４は手提げハンドルを含む本体部の側面図、図５は同本体部の上面図、図６は同本体部の要部正面図、図７は手提げハンドルの動作を示す上面図である。
【００２７】
図４〜図６に示すように、手提げハンドル１２は、本体部２の車輪７による進行方向(矢印Ｘ方向)の前方に、本体部２を進行方向に対して直交する方向に跨ぐように固定された細長い円形パイプ状部材からなる円弧状の横ハンドル６１と、本体部２の上方に横ハンドル６１に交差するように本体部２の進行方向に沿って設けられた細長い円形パイプ状部材からなる縦ハンドル６２を備える。
【００２８】
横ハンドル６１は、両端が本体カバー１０と一体成形された一対の支持アーム６３に固定される。また、横ハンドル６１は、軸方向に摺動可能な摺動部材６４を備える。摺動部材６４は、横ハンドル６１に沿って円滑に摺動するために、横ハンドル６１の軸方向の曲率に対応する曲率と、横ハンドル６１の外径に対応する内径を有する貫通孔とを備え、その貫通孔に横ハンドル６１が適当なクリアランスを有して貫通している。
【００２９】
縦ハンドル６２は、前端部６５が摺動部材６４に固定され、後端部６６が図４に示すように本体カバー１０の後方内部に設けられた軸受部６７に支持された支軸６８に結合されている。なお、支軸６８は本体部２の走行方向に平行になるように軸受部６７に支持されている。これによって、縦ハンドル６２は、本体部２の進行方向に対して左右への各９０度の横倒し操作が可能となる。また、縦ハンドル６２の後端部６６は支軸６８に結合し易いように部分的に扁平に形成されている。
【００３０】
使用者は、縦ハンドル６２を用いて本体部２を提げる場合には、図４〜図６に示すように、縦ハンドル６２を本体部２の上部中央に設定すればよい。また、横ハンドル６１を用いて本体部２を提げる場合には、図７(ａ)又は(ｂ)に示すように、縦ハンドル６２を本体部２の進行方向に対して右側又は左側に横倒しすればよい。
【００３１】
また、図３に示すように、集塵部２０を本体部２から上方に取り出す作業は、図７(ａ)又は(ｂ)に示すように縦ハンドル６２を倒すことによって容易に行うことができる。
【００３２】
この実施形態においては、横ハンドル６１と縦ハンドル６２には外径２０〜３０mmの金属製又はプラスチック製の円形パイプ状部材を用いている。しかし、握り具合や剛性あるいは意匠性などを考慮して、断面が半円形や楕円形又は多角形の部材を用いてもよい。
【００３３】
＜第２実施形態＞
図８及び図９は、それぞれこの発明の第２実施形態を示す図５及び図７対応図である。
この実施形態では、第１実施形態の縦ハンドル６２及び摺動部材６４が、それぞれ一対の縦ハンドル６２ａ,６２ｂ及び一対の摺動部材６４ａ,６４ｂに分割されている。
【００３４】
さらに、第１実施形態の支軸６８及び軸受部６７が、それぞれ一対の支軸６８ａ, ６８ｂ及び一対の軸受部６７ａ, ６７ｂに置換されている。その他の構成は、第１実施形態と同等である。
【００３５】
使用者が縦ハンドル６２ａ,６２ｂを用いて本体部２を提げる場合には、図８に示すように、縦ハンドル６２ａ,６２ｂを本体部２の上部で接近させて一体化して使用する。また、使用者が横ハンドル６１を用いて本体部２を提げる場合、又は図３に示すように集塵部２０を取り出す場合には、縦ハンドル６２ａ,６２ｂをそれぞれ図９に示すように左右に倒した状態にする。
【００３６】
なお、縦ハンドル６２ａ,６２ｂはそれぞれが半円形の断面を有し、両者が図８のように最も接近した時に使用者の手になじみ易いように両者によってほぼ円形又は楕円形状の断面が形成されることが好ましい。
【００３７】
＜第３実施形態＞
図１０はこの発明の第３実施形態を示す図４対応図である。この実施形態では、第１実施形態の縦ハンドル６２が、縦ハンドル６２ｃと６２ｄとの組み合わせ体に置換されている。その他の構成は第１実施形態と同等である。
【００３８】
この実施形態では、縦ハンドル６２ｃは円形パイプで形成され、その一端に円形の縦ハンドル６２ｄが同心状に挿入され、それによって直列に結合された一本の縦ハンドルが構成されている。
【００３９】
縦ハンドル６２ｄの縦ハンドル６２ｃへの挿入部分Ｌでは、縦ハンドル６２ｃと６２ｄが互いに軸方向に摺動可能であるように互いの曲率およびクリアランスが設定されている。
【００４０】
この実施形態によれば、縦ハンドルを左右方向へ移動させるときに、横ハンドル６１における摺動部材６４の摺動位置によって摺動部材６４から支軸６８までの距離が変動しても、縦ハンドルが軸方向に伸縮可能であるので、その移動動作を円滑に行うことができる。
【００４１】
＜第４実施形態＞
この実施形態は、縦ハンドルの操作で集塵部の本体部への係止と解除をできるようにしたものである。
第１実施形態では、図２に示すように、集塵部２０の上部に本体カバー１０に連続して集塵部２０の外装を形成するカバー部４０が配置され、カバー部４０の上面には後部で枢支される回転自在の把持部４１が設けられ、カバー部４０の上方後部には本体カバー１０に係合する係合部４３が設けられる。
【００４２】
係合部４３は把持部４１の回動によって前後に進退するようになっている。そして、本体カバー１０にカバー部４０の前部を掛けて後方の係合部４３を係合させることによって集塵部２０が本体部２に装着される。
【００４３】
また、把持部４１の先端を引き上げると係合部４３が後退して本体カバー１０との係合が解除され、図３に示すように集塵部２０を本体部２から上部に取り出すことができるようにしている。
【００４４】
図１１は第４実施形態を示す図２対応図である。この実施形態では、第１実施形態のカバー部４０に枢支され回転自在に設けられた把持部４１の代わりに、図１１に示すようにカバー部４０に固定された把持部４１ａを用いている。
【００４５】
さらに、この実施形態では、第１実施形態の本体カバー１０に係合する係合部４３、及び把持部４１の先端を引き上げることによって係合部４３を後退させて本体カバー１０との係合を解除させる機構の代わりに、図１１に示すようにカバー部４０に設けたラッチ係止部６０と、本体カバー１０の内部に固定したラッチ装置７１を用いている。
【００４６】
さらに、第１実施形態の支軸６８の代わりに支軸６８ｃを、軸受部６７の代わりに軸受部６７ｃを用いている。支軸６８ｃは軸受部６７ｃを貫通し、貫通した先端部に直交するピン５９を備える。ラッチ装置７１はラッチ部７２と回転軸７７とを備え、回転軸７７の回動によってラッチ部７２がラッチ装置７１から出没するようになっている。
【００４７】
回転軸７７には操作レバー５８が設けられ、操作レバー５８とピン５９とは、互いに直交するように配置される。縦ハンドル６２による支軸６８ｃの回動動作が、ピン５９と操作レバー５８とを介して回動軸７７を回動させるようになっている。
【００４８】
この実施形態では、図１１に示すようにカバー部４０のラッチ係止部６０にラッチ装置７１から突出するラッチ部７２を係止させることによって集塵部２０が本体部２に装着されて固定される。
【００４９】
また、縦ハンドル６２の移動動作により支軸６８ｃが回動して、回動軸７７がラッチ装置７１の上方から見て時計回りに約３０度だけ回動すると、ラッチ部７２がラッチ装置７１内に後退して本体カバー１０とカバー部４０との係合が解除され、集塵部２０の本体部２からの取り出しが可能となる。
【００５０】
この実施形態では、縦ハンドル６２が図５の位置から図７(ｂ)の位置に達したときに回動軸７７が上記のように約３０度だけ回動してラッチ部７２が後退するようになっている。
【００５１】
従って、使用者は、集塵部２０を本体部２に対して出し入れするときには、縦ハンドル６２を図７(ｂ)の位置に設置すればよい。また、横ハンドル６１を用いて本体部２を提げる場合には、縦ハンドル６２を図７（ａ）の位置に設置すればよい。なお、集塵部２０を本体部２に挿入する操作は、縦ハンドル６２が図７(ａ)に示す位置にあるときにも行うことができる。
【００５２】
（ラッチ装置の構造と動作)
この実施形態で用いるラッチ装置の構造と動作について以下に説明する。
図１２はラッチ装置の内部構造説明図、図１３はラッチ装置の側面図、図１４は図１２に示すラッチ装置の要部分解斜視図である。
【００５３】
これらの図に示すように、ラッチ装置７１は、一端側にラッチ部７２を押出し付勢状態で突出させたケーシング７３を備え、その内部にはラッチ部７２に進退(出没)動作をさせるための運動機構７４が収容されている。ここで「押出し付勢状態」とは、ラッチ部７２が引込み方向の外力を受けると引込み、外力が除去されると押出されるように付勢されている状態をいう。
【００５４】
運動機構７４は、ラッチ部７２とは反対側の端部寄り(図１２(ａ),(ｂ)の各右側)に、円柱形の回動ボス具７５を備えている。回動ボス具７５の中心部には角孔７６が貫通しており、操作レバー５８(図１１)を取り付ける回動軸７７(図１１,図１３)が、角孔７６に差し込まれて固定されるようになっている。
【００５５】
ケーシング７３は、図１３に示すように、上側ケーシング７３Ａと下側ケーシング７３Ｂとからなり、両者はカシメ軸７８,７９,８０により結合されている。取付座８２は、上側ケーシング７３Ａに一体的に形成されている。
【００５６】
運動機構７４では、前述のように操作レバー５８(図１１)を回動操作することによって回動ボス具７５が回動される。この回動動作が、回動ボス具７５の外周面に突出したカム片８４を通じてスライダー８５の摺動動作へ変換される。
【００５７】
スライダー８５の摺動動作は反転爪８６の揺動動作となり、その揺動動作は他端部からブラケット８７の逆向きの摺動動作へと変換され、ブラケット８７と一体的にラッチ部７２が進退運動するようになっている。
【００５８】
反転爪８６は、上側ケーシング７３Ａ内を貫通するカシメ軸７８を揺動の中心として保持されている。ラッチ部７２には、上側ケーシング７３Ａ内に設けられたバネ受け９１との間に円錐コイルバネ９０が取り付けられており、従ってラッチ部７２は、円錐コイルバネ９０から弾性的な付勢力を受けて押出し付勢状態が独自に維持されるようになっている。
【００５９】
一方、回動ボス具７５には、リング状バネ９３が回動ボス具７５を巻回するように設けられている。リング状バネ９３の一方の係合部９４は、上側ケーシング７３Ａ内を貫通するカシメ軸７９に係合され、他方の係合部９５は、リング状バネ９３に縮径方向へある程度のバネ力を作用させたうえで、回動ボス具７５の外周面に突出する係合片９６に係合されている。
【００６０】
従って、回動ボス具７５には図１２(ａ)中の左方向への、即ち、反時計方向の回動力が作用するようになるが、係合片９６が上側ケーシング７３Ａ内に設けられた当たり段部９７と当接することで、回動ボス具７５が所定の待機角度を維持して停止付勢されることになる。なお、回動ボス具７５は、係合片９６が上側ケーシング７３Ａの最奥部に設けられたストッパー片９８と当接する状態を、回動範囲の限界としている。
【００６１】
図１２(ａ)に示すように、このような回動ボス具７５の待機状態にあって、リング状バネ９３は、回動ボス具７５の外周との間に若干の周間隙を形成させる状態となっている。また、リング状バネ９３の両端係合部９４,９５は、ラッチ部７２の進退運動の軸線方向(図１２(ａ)の左右方向)に沿って回動ボス具７５の前部及び後部に位置付けられるようになっている。
【００６２】
そして、この状態から回動ボス具７５を図１２(ａ)の右方向へ(即ち、時計方向へ)約３０度、回動させてゆくと、カム片８４がスライダー８５を矢印方向に摺動させ、反転爪８６時計方向に回動してブラケット８７を右方向へ摺動させる。それによって、ラッチ部７２は図１２(ｂ)のようにケーシング７３内に引き込まれる。
【００６３】
従って、図１３に示すラッチ装置７１は、図１１に示すように本体部２に取り付けられると、集塵部２０の挿入時には集塵部２０のラッチ係止部６０がラッチ部７２の上部傾斜面を垂直方向に押圧するので、その分力によりラッチ部７２が引き込まれる。ラッチ係止部６０がラッチ部７２を越えると、ラッチ部７２が突出してラッチ係止部６０に係止し、集塵部２０が本体部２に固定される。集塵部２０の取り出し時には、縦ハンドル６２の移動操作に連動する回動ボス具７５の回動により、ラッチ部７２がラッチ装置７１内へ引き込まれ、集塵部２０が本体部２から開放される。
【符号の説明】
【００６４】
１  電気掃除機、２  本体部、３  接続ホース、４  延長パイプ、５  吸込口体、６  電動送風機、７  車輪、８  電源コード、９  電源プラグ、１０  本体カバー、１０ａ  接続口、１０ｂ  排気口、１０ｃ  窓部、１２  手提げハンドル、１３  パイプ把持部、１４  操作部、１５  ダクト、１９  集塵室、２０  集塵部、２２  集塵容器、２２ａ  流入口、３７  フィルタ、４０  カバー部、４１  把持部、４１ａ  把持部、４２  連通路、４２ａ  集塵部排気口、４３  係合部、５１  内筒、５１ａ  流出口、５８    操作レバー、５９  ピン、６０  ラッチ係止部、６１  横ハンドル、６２,６２ａ,６２ｂ,６２ｃ,６２ｄ  縦ハンドル、６３  支持アーム、６４,６４ａ,６４ｂ  摺動部材、６５  前端部、６６  後端部、６７ａ,６７ｂ,６７ｃ  軸受部、６８,６８ａ,６８ｂ,６８ｃ  支軸、７１  ラッチ装置、７２  ラッチ部、７７  回動軸
【図１】
2017213315.tif 000003
【図２】
2017213315.tif 000004
【図３】
2017213315.tif 000005
【図４】
2017213315.tif 000006
【図５】
2017213315.tif 000007
【図６】
2017213315.tif 000008
【図７】
2017213315.tif 000009
【図８】
2017213315.tif 000010
【図９】
2017213315.tif 000011
【図１０】
2017213315.tif 000012
【図１１】
2017213315.tif 000013
【図１２】
2017213315.tif 000014
【図１３】
2017213315.tif 000015
【図１４】
2017213315.tif 000016